(57)【要約】【課題】本発明は、眼のむき運動をより簡便な方法で促し得る眼疲労解消装置を提供することを目的とする。【解決手段】本発明の眼疲労解消装置は、被訓練眼に対し画像を呈示する画像呈示部（１４）と、前記被訓練眼に対し目印を呈示する複数の指標（２０）と、前記画像呈示部による前記画像の呈示位置を前記被訓練眼のピント調節方向に移動させる移動手段（１７）と、前記複数の指標における点灯対象を切り換えることによりそれら複数の指標による前記目印の呈示位置を移動させる切換手段（１９）とを備えたことを特徴とする。【選択図】      図１
2005027759.tif 000002
【特許請求の範囲】
【請求項１】
被訓練眼に対し画像を呈示する画像呈示部と、
前記被訓練眼に対し目印を呈示する複数の指標と、
前記画像呈示部による前記画像の呈示位置を前記被訓練眼のピント調節方向に移動させる移動手段と、
前記複数の指標における目標対象を切り換えることにより前記目印の呈示位置を移動させる切換手段と
を備えたことを特徴とする眼疲労解消装置。
【請求項２】
請求項１に記載の眼疲労解消装置において、
前記画像の呈示位置が前記ピント調節方向に移動している期間には前記目印の呈示を禁止すると共に、前記目印の呈示位置が移動している期間には前記画像の呈示を禁止する制御手段を更に備えた
ことを特徴とする眼疲労解消装置。
【請求項３】
請求項１又は請求項２に記載の眼疲労解消装置において、
前記移動手段は、
前記目印の呈示位置を前記ピント調節方向に移動させることが可能である
ことを特徴とする眼疲労解消装置。
【請求項４】
請求項１〜請求項３の何れか一項に記載の眼疲労解消装置において、
前記被訓練眼の屈折力の変化を測定する測定部を更に備える
ことを特徴とする眼疲労解消装置。
【請求項５】
請求項１〜請求項４の何れか一項に記載の眼疲労解消装置において、
前記画像は、被訓練者の左右双方の被訓練眼に対し呈示され、
前記目印は、被訓練者の左右双方の被訓練眼に対し同じタイミングで同じ位置に呈示される
ことを特徴とする眼疲労解消装置。
【請求項６】
請求項５に記載の眼疲労解消装置において、
前記左右双方の被訓練眼に対する前記画像の呈示位置、及び／又は前記目印の呈示位置をよせ運動方向に移動させる移動手段を更に備えた
ことを特徴とする眼疲労解消装置。
【請求項７】
請求項１〜請求項５の何れか一項に記載の眼疲労解消装置において、
前記指標は、前記画像呈示部内、及び／又は前記画像呈示部の外周部に設けられる
ことを特徴とする眼疲労解消装置。
【発明の詳細な説明】
【０００１】
【発明の属する技術分野】
本発明は、被訓練眼の運動を促すことによりその疲労解消を図る眼疲労解消装置に関する。
【０００２】
【従来の技術】
情報化社会の現在、テレビ、パーソナルコンピュータなどの画面上での近業により、眼が酷使される傾向にある。
業務過多になると、眼は、同一距離にある対象物を凝視し続けるためにピント調節を行わなくなり、毛様体筋を緊張させたままとなる。
【０００３】
緊張が続くと、毛様体筋には疲労が生じ、その動きが鈍くなるので、ピント調節に支障を来たす。
この結果、物が見えにくくなり各種のストレスを招く。また、この疲労が長期的に繰り返されると、視力の低下に繋がると言われる。
このため、眼にピント調節を繰り返し行わせることにより眼の毛様体筋の緊張をほぐし（弛緩させ）、それによって疲労を解消させる眼疲労解消装置が提案された。
【０００４】
眼疲労解消装置の構成は、観察画像の呈示位置を被訓練眼のピント調節方向（被訓練眼の近方〜遠方の方向）に移動させるものである。被訓練者が観察画像を明視しようとすれば、被訓練眼のピント調節が促される。
ところで、テレビやパーソナルコンピュータの使用時、眼は画面の一点、つまり同一方向を凝視することが多いので、ピント調節だけでなくむき運動にも支障を来たす。「むき運動」とは、両眼共同運動とも呼ばれ、両眼の眼球を同方向に回転させる運動である。
【０００５】
例えば、特許文献１に記載の眼疲労解消装置は、画像の表示された表示デバイスを用いると共に、その画像を表示デバイス上で移動させ、それによって眼のむき運動を促すものである。
【特許文献１】
特開２０００−１７１７５１号公報
【０００６】
【発明が解決しようとする課題】
しかし、このような眼疲労解消装置では、画像を移動させるための画像処理機能を有した複雑な回路が必要となり、その製造コストも高くなる。
【０００７】
そこで本発明は、眼のむき運動をより簡便に促し得る眼疲労解消装置を提供することを目的とする。
【０００８】
【課題を解決するための手段】
請求項１に記載の眼疲労解消装置は、被訓練眼に対し画像を呈示する画像呈示部と、前記被訓練眼に対し目印を呈示する複数の指標と、前記画像呈示部による前記画像の呈示位置を前記被訓練眼のピント調節方向に移動させる移動手段と、前記複数の指標における目標対象を切り換えることにより前記目印の呈示位置を移動させる切換手段とを備えたことを特徴とする。
【０００９】
請求項２に記載の眼疲労解消装置は、請求項１に記載の眼疲労解消装置において、前記画像の呈示位置が前記ピント調節方向に移動している期間には前記目印の呈示を禁止すると共に、前記目印の呈示位置が移動している期間には前記画像の呈示を禁止する制御手段を更に備えたことを特徴とする。
【００１０】
請求項３に記載の眼疲労解消装置は、請求項１又は請求項２に記載の眼疲労解消装置において、前記移動手段は、前記目印の呈示位置を前記ピント調節方向に移動させることが可能であることを特徴とする。
請求項４に記載の眼疲労解消装置は、請求項１〜請求項３の何れか一項に記載の眼疲労解消装置において、前記被訓練眼の屈折力の変化を測定する測定部を更に備えることを特徴とする。
【００１１】
請求項５に記載の眼疲労解消装置は、請求項１〜請求項４の何れか一項に記載の眼疲労解消装置において、前記画像は、被訓練者の左右双方の被訓練眼に対し呈示され、前記目印は、被訓練者の左右双方の被訓練眼に対し同じタイミングで同じ位置に呈示されることを特徴とする。
請求項６に記載の眼疲労解消装置は、請求項５に記載の眼疲労解消装置において、前記左右双方の被訓練眼に対する前記画像の呈示位置、及び／又は前記目印の呈示位置をよせ運動方向に移動させる移動手段を更に備えたことを特徴とする。
【００１２】
請求項７に記載の眼疲労解消装置は、請求項１〜請求項５の何れか一項に記載の眼疲労解消装置において、前記指標は、前記画像呈示部内、及び／又は前記画像呈示部の外周部に設けられることを特徴とする。
【００１３】
【発明の実施の形態】
以下、図１、図２、図３、図４、図５、図６に基づいて本発明の実施形態について説明する。
【００１４】
本実施形態は、眼疲労解消装置の実施形態である。
図１は、本実施形態の眼疲労解消装置の構成図である。図１（ａ）は、眼疲労解消装置を被訓練者の右方から見た概略構成図、図１（ｂ）は、眼疲労解消装置を被訓練者の上方から見た概略構成図である。
【００１５】
この眼疲労解消装置は、卓上に設置されるなどして被訓練者１０の顔前に配置される。
眼疲労解消装置には、装置本体１２、屈折力測定部（測定部に対応。）１１が備えられる。また、装置本体１２は、その内部の制御回路（移動手段、切換手段、制御手段に対応）１９を介してコンピュータ（図６参照）に接続される。
【００１６】
装置本体１２には、右の被訓練眼１０Ｒの眼軸上に、その被訓練眼１０Ｒの側から順に、ミラー１３Ｒ、凸レンズ１５Ｒ、画像表示ユニット（画像呈示部に対応。）１４Ｒが配置される。
また、装置本体１２には、これらミラー１３Ｒ、凸レンズ１５Ｒ、画像表示ユニット１４Ｒと同様に、ミラー１３Ｌ，凸レンズ１５Ｌ，画像表示ユニット（画像呈示部に対応。）１４Ｌが左の被訓練眼１０Ｌに対して配置される。
【００１７】
画像表示ユニット１４Ｒには、図２に示すように、外形が円状であり、かつ目視し易い画像（例えば写真画像など）の印刷された投影用の画像１４Ｒ−１、及びその画像１４Ｒ−１を背後（被訓練眼１０Ｒとは反対側）から照明する可視光源１４Ｒ−２が配置される。なお、図２中に示した筒状の部材は、画像１４Ｒ−１及び光源１４Ｒ−２を互いの位置関係を固定した状態で支持する支持部材である。
【００１８】
この画像表示ユニット１４Ｒにおいて、画像１４Ｒ−１の周囲（例えば、筒状の支持部材の端面）には、４つの微小な指標である発光体（ＬＥＤなど）２０Ｒ−１，２０Ｒ−２，２０Ｒ−３，２０Ｒ−４が等間隔で設けられる。４つの発光体２０Ｒ−１，２０Ｒ−２，２０Ｒ−３の配置箇所は、画像１４Ｒ−１の上部、下部、右部、左部である。
【００１９】
画像表示ユニット１４Ｌにも同様に、画像１４Ｒ−１と同じ画像１４Ｌ−１、及びその画像１４Ｌ−１を背後（被訓練眼１０Ｌとは反対側）から照明する可視光源１４Ｌ−２が配置される。なお、図２中に示した筒状の部材は、画像１４Ｌ−１及び光源１４Ｌ−２を互いの位置関係を固定した状態で支持する支持部材である。
【００２０】
この画像表示ユニット１４Ｌにおいて、画像１４Ｌ−１の周囲（例えば、筒状の支持部材の端面）には、画像表示ユニット１４Ｒにおける４つの発光体２０Ｒ−１，２０Ｒ−２，２０Ｒ−３，２０Ｒ−４と同位置に、同じ４つの発光体２０Ｌ−１，２０Ｌ−２，２０Ｌ−３，２０Ｌ−４が設けられる。
これら左右の画像表示ユニット１４Ｒ，１４Ｌのうち、光源１４Ｒ−２，１４Ｌ−２、及び８つの発光体２０Ｒ−１，２０Ｒ−２，２０Ｒ−３，２０Ｒ−４，２０Ｌ−１，２０Ｌ−２，２０Ｌ−３，２０Ｌ−４は、制御回路１９によって駆動制御（点灯／消灯）される。
【００２１】
なお、本実施形態では、光源１４Ｒ−２，１４Ｌ−２は互いに同じタイミングで点灯／消灯される。また、８つの発光体２０Ｒ−１，２０Ｒ−２，２０Ｒ−３，２０Ｒ−４，２０Ｌ−１，２０Ｌ−２，２０Ｌ−３，２０Ｌ−４のうち、画像表示ユニット１４Ｒと画像表示ユニット１４Ｌとの互いに対応する位置に設けられたもの同士（発光体２０Ｒ−ｉと発光体２０Ｌ−ｉ）は、互いに同じタイミングで点灯／消灯される。
【００２２】
光源１４Ｒ−２，１４Ｌ−２の点灯中、画像表示ユニット１４Ｒの画像１４Ｒ−１から射出した光束（以下、「訓練光束」という。）は、凸レンズ１５Ｒにおいて平行光束に近い状態に変換されてからミラー１３Ｒによって被訓練眼１０Ｒの方向へ導光される。
また、画像表示ユニット１４Ｌの画像１４Ｌ−１から射出した訓練光束は、凸レンズ１５Ｌにおいて平行光束に近い状態に変換されてからミラー１３Ｌによって被訓練眼１０Ｌの方向へ導光される。
【００２３】
よって、被訓練眼１０Ｒ，１０Ｌには、画像１４Ｒ−１，１４Ｌ−１の実際の位置よりも遠方にその画像１４Ｒ−１，１４Ｌ−１の虚像が呈示される。
また、発光体２０Ｒ−ｉ，２０Ｌ−ｉの点灯中、被訓練眼１０Ｒ，１０Ｌには、それら発光体２０Ｒ−ｉ，２０Ｌ−ｉの実際の位置よりも遠方にそれら発光体２０Ｒ−ｉ，２０Ｌ−ｉの目印である虚像（輝点）が呈示される。
【００２４】
また、左右の画像表示ユニット１４Ｒ，１４Ｌは、移動機構１７によって、被訓練眼１０Ｒ，１０Ｌのピント調節方向（被訓練眼１０Ｒ，１０Ｌの近方←→遠方の方向に相当する。）に互いに同じ移動パターンで移動可能である。この移動に伴い、呈示中の左右の画像又は左右の発光体の虚像も、ピント調節方向に移動する。
【００２５】
また、画像表示ユニット１４Ｒ，１４Ｌは、移動機構１８によって、被訓練眼１０Ｒ，１０Ｌのよせ運動方向（被訓練眼１０Ｒに対しては被訓練者１０の右方←→中央の方向に相当し、被訓練眼１０Ｌに対しては被訓練者１０の左方←→中央の方向に相当する。）に、互いに同じ移動パターンで移動可能である。この移動に伴い、呈示中の左右の画像又は左右の発光体の虚像も、よせ運動方向に移動する。
【００２６】
なお、これらを移動させる移動機構１７、移動機構１８は、それぞれ制御回路１９によって駆動制御される。
次に、屈折力測定部１１は、一方の被訓練眼（以下、左の被訓練眼１０Ｌとする。）の屈折力を測定する。  屈折力測定部１１としては、例えば、特開平６−１３５７５７号公報に記載された屈折力測定装置のように検影法が適用された屈折力測定装置などが適用可能である。
【００２７】
屈折力測定部１１は、被訓練眼１０Ｌの眼底に赤外線からなる測定光束を投光すると共に、その眼底にて反射し、かつ屈折力測定部１１に戻る測定光束を検出し、被訓練眼１０Ｌの屈折力を求める。
眼疲労解消装置においては、このような屈折力測定を、被訓練眼１０Ｌの訓練中に並行して行うために、屈折力測定部１１から射出した測定光束は、装置本体１２から射出した訓練光束と共に、被訓練眼１０Ｌに投光される。
【００２８】
このため、被訓練眼１０Ｌの前方に配置されたミラー１３Ｌは、ダイクロイックミラーとなっており、屈折力測定部１１から出射した測定光束（赤外光である。）と、装置本体１２から出射した訓練光束（可視光である。）とを統合して被訓練眼１０Ｌへ導くと共に、被訓練眼１０Ｌの眼底から戻る測定光束（赤外光である。）を屈折力測定部１１の方向へ戻す働きをする。
【００２９】
この屈折力測定部１１は、装置本体１２内の制御回路１９によって制御される。屈折力測定部１１の測定した被訓練眼１０Ｌの屈折力は、制御回路１９によって取り込まれる。
なお、図１において符号Ｗで示すのは、装置本体１２及び屈折力測定部１１の筐体側面に設けられ、訓練光束や測定光束を必要な方向へ透過する窓である。
【００３０】
以下、制御回路１９が各部を制御することにより実施される訓練について詳細に説明する。制御回路１９による各動作の開始、終了などの指示は、コンピュータ（図６参照）によってなされる。因みに、このコンピュータ（図６参照）を操作するのは、被訓練者１０の被訓練眼１０Ｒ，１０Ｌの健康管理を任された医師などの「訓練者」である。
【００３１】
訓練は、ピント調節訓練と、むき運動訓練とからなる。ピント調節訓練とむき運動訓練とは、非同時に行われる。例えば、ピント調節訓練の直後に、むき運動訓練が行われたり、むき運動訓練の直後に、ピント調節訓練が行われたり、訓練者によって指定されたタイミングで一方の訓練のみが行われたりする。
先ず、ピント調節訓練について説明する。
【００３２】
ピント調節訓練の方法には、公知の様々な方法が適用可能であるが、ここでは一例を説明する。
図３は、ピント調節訓練を説明する図である。図３には、ピント調節訓練中に被訓練者１０から見た左右の虚像を示した。虚像が大きいほどその虚像がピント調節方向の近方に位置することを示している。
【００３３】
ピント調節訓練では、全ての発光体２０Ｒ−１，２０Ｒ−２，２０Ｒ−３，２０Ｒ−４，２０Ｌ−１，２０Ｌ−２，２０Ｌ−３，２０Ｌ−４は消灯され、画像１４Ｒ−１，１４Ｌ−１を照明するための光源１４Ｒ−２，１４Ｌ−２が点灯される。
したがって、被訓練眼１０Ｒ，１０Ｌには、輝点が呈示されることはなく、画像１４Ｒ−１，１４Ｌ−１の虚像のみが呈示され、被訓練者１０が画像のみに集中できる。
【００３４】
ピント調節訓練の最初は、移動機構１７が駆動され、画像１４Ｒ−１，１４Ｌ−１の虚像のピント調節方向の位置が、被訓練眼１０Ｒ，１０Ｌによって十分に明視される位置（例えば、非訓練眼１４Ｌの近点と遠点との中間位置）となるまで、画像表示ユニット１４Ｒ，１４Ｌが移動する。
このとき、被訓練者１０の被訓練眼１０Ｒ，１０Ｌは、画像１４Ｒ−１の虚像、画像１４Ｌ−１の虚像をそれぞれ凝視しようとする。
【００３５】
次に、移動機構１７が駆動され、図３（１）→（２）→（３）のように、画像１４Ｒ−１，１４Ｌ−１の虚像のピント調節方向の位置が、遠方位置（例えば、非訓練眼１４Ｌの遠点又は遠点よりも遠方位置）となるまで、画像表示ユニット１４Ｒ，１４Ｌが緩やかな速度で移動する。
次に、移動機構１７が駆動され、図３（３）→（２）→（１）のように、画像１４Ｒ−１，１４Ｌ−１の虚像のピント調節方向の位置が近方位置（例えば、非訓練眼１４Ｌの近点又は近点よりも近方位置）となるまで、画像表示ユニット１４Ｒ，１４Ｌが移動する。
【００３６】
さらに、図３（１）→（２）→（３），（３）→（２）→（１）のようなパターンの移動が、繰り返される。
この移動中、被訓練眼１０Ｒ，１０Ｌは、画像１４Ｒ−１の虚像、画像１４Ｌ−１の虚像をそれぞれ追従しようとするので、被訓練眼１０Ｒ，１０Ｌのピント調節が促される。
【００３７】
なお、この移動中には、移動機構１７と共に移動機構１８が駆動され、画像１４Ｒ−１，１４Ｌ−１の虚像がのよせ運動方向の変位も図３（１），（２），（３）のとおり変化する。
図３（１），（２），（３）に示すとおり、虚像のピント調節方向の位置が遠方になるほど、よせ運動方向の変位は小さくなる（因みに、よせ運動方向の移動については、特願２００３−９２０１４号明細書に記載された方法などが適用可能である。）。
【００３８】
このようにすれば、ピント調節と共によせ運動が促されるので、疲労解消効果が高まる。
なお、この移動中、被訓練眼１０Ｌの屈折力は、屈折力測定部１１によって連続的に測定され、このときの屈折力の変化が制御回路１９によって監視される。この監視により、被訓練眼１０Ｌの近点や遠点を制御回路１９が認識することができる。また、この監視により、ピント調節訓練の終了のタイミングが決定される（終了のタイミングは、屈折力の変化に基づき制御回路１９又はコンピュータが、被訓練眼１０Ｌの疲労が十分に解消されたと判断した時点とされる）。
【００３９】
次に、むき運動訓練について説明する。
図４は、むき運動訓練を説明する図である。図４には、むき運動訓練中に被訓練者１０から見た虚像を示した。放射状マークの付与された部分は、点灯中の発光体の虚像（輝点）である。
なお、このむき運動訓練に当たっては、これら発光体２０Ｒ−ｉ，２０Ｌ−ｉのピント調節方向の呈示位置が、被訓練眼１０Ｒ，１０Ｌによって十分に明視される位置になるよう移動機構１７が駆動される。
【００４０】
むき運動訓練では、画像１４Ｒ−１，１４Ｌ−１を照明するための光源１４Ｒ−２，１４Ｌ−２は消灯され、左右１つずつの発光体２０Ｒ−ｉ、２０Ｌ−ｉのみが点灯される。
したがって、被訓練眼１０Ｒ，１０Ｌには、画像１４Ｒ−１，１４Ｌ−１の虚像が呈示されることはなく、点灯中の発光体２０Ｒ−ｉ，２０Ｌ−ｉの虚像（輝点）のみが呈示され、被訓練者１０が輝点のみに集中できる。
【００４１】
むき運動訓練では、点灯対象（請求項における目標対象に対応。）は、図４（１）→（２）→（３）→（４）のようなパターンで切り換えられる。
この切り換えにより、左右の輝点の呈示位置が、むき運動方向（被訓練眼１０Ｒに対する上下左右方向、被訓練眼１０Ｌに対するそれと同方向に相当する。）に移動する。
【００４２】
さらに、図４（１）→（２）→（３）→（４）のようなパターンの移動は、複数回繰り返される。
図４（１）に示すように左右の輝点の呈示位置が上部であるとき、被訓練眼１０Ｒ，１０Ｌは、それらを凝視しようとして上方向を向く。
また、図４（２）に示すように左右の輝点の呈示位置が下部であるとき、被訓練眼１０Ｒ，１０Ｌは、それらを凝視しようとして下方向を向く。
【００４３】
また、図４（３）に示すように左右の輝点の呈示位置が右部であるとき、被訓練眼１０Ｒ，１０Ｌは、それらを凝視しようとして右方向を向く。
また、図４（４）に示すように左右の輝点の呈示位置が左部であるとき、被訓練眼１０Ｒ，１０Ｌは、それらを凝視しようとして左方向を向く。
したがって、被訓練眼１０Ｒ、１０Ｌのむき運動が促される。
【００４４】
なお、この移動中、被訓練眼１０Ｌの屈折力は、屈折力測定部１１によって連続的に測定され、このときの屈折力の変化が制御回路１９によって監視される。この監視により、むき運動訓練の終了のタイミングが決定される（終了のタイミングは、屈折力の変化に基づき制御回路１９又はコンピュータが、被訓練眼１０Ｌの疲労が十分に解消されたと判断した時点とされる）。
【００４５】
以上、本実施形態のむき運動訓練は、画像１４Ｒ−１，１４Ｌ−１とは別に用意された発光体２０Ｒ−１，２０Ｒ−２，２０Ｒ−３，２０Ｒ−４の点灯対象、及び２０Ｌ−１，２０Ｌ−２，２０Ｌ−３，２０Ｌ−４の点灯対象の切り換えによって図られる。
このような発光体２０Ｒ−１，２０Ｒ−２，２０Ｒ−３，２０Ｒ−４、２０Ｌ−１，２０Ｌ−２，２０Ｌ−３，２０Ｌ−４はＬＥＤなどから構成されるので、安価である。
【００４６】
また、点灯対象を切り換えるための制御回路１９の動作は、画像処理などの動作を比較すると、極めて単純である。
したがって、本実施形態の眼疲労解消装置は、被訓練眼１０Ｒ，１０Ｌのむき運動を、従来例よりも簡便に促すことが可能である。
【００４７】
なお、本実施形態の眼疲労解消装置は、以下のとおり様々に変形することが可能である。
【００４８】
むき運動訓練中、図５（１）→（２）→（３）→（４）のように、画像表示ユニット１４Ｒ，１４Ｌがピント調節方向に移動するよう制御回路１９に動作させてもよい。移動のさせ方などについては、ピント調節訓練中におけるそれと同じである（なお、図５では、呈示された左右の輝点がピント調節方向と共によせ運動方向に移動し、疲労解消効果を高めた例を示した。）。
【００４９】
このようにすると、むき運動とピント調節とが同時に促される。
なお、このピント調節による疲労解消効果は、上述したピント調節訓練による疲労解消効果よりも少ないと思われるが（なぜなら、被訓練眼１０Ｒ，１０Ｌに呈示されるのが画像ではなく輝点であるから。）、むき運動とピント調節とが同時に図られる点において、効率的である。
【００５０】
また、本実施形態の眼疲労解消装置においては、むき運動訓練中、発光体の点灯対象を視覚的又は聴覚的に訓練者に対し通知するようコンピュータを構成してもよい（図６（ａ），（ｂ）参照）。
図６（ａ）に示した例は、視覚的に通知するために、被訓練者１０が見ているのと似た画像をモニタ上に表示し、点灯対象が明確になるよう表示色（及び／又は表示輝度）を部分的に変化させたものである。
【００５１】
図６（ｂ）に示した例は、聴覚的に通知するために、点灯対象が明確になるような音声、例えば「左が点灯しています。」などを、スピーカから発音させたものである。
また、本実施形態では、輝点の呈示位置の移動パターンが「上→下→右→左」と決められていたが、移動パターンは、これに限らず例えば「上→左→下→右」などに決められてもよい。また、予め決められた移動パターンではなく、ランダムな移動パターンとしてもよい。
【００５２】
なお、予め決められた移動パターンが採用されたときには、被訓練者１０が次の呈示位置を予測できるため、疲労を感じにくいという効果が期待できる。
また、ランダムな移動パターンが採用されたときには、被訓練者１０が次の呈示位置を予測できないため、急峻な運動を促すことができるという効果がある。
【００５３】
また、本実施形態の眼疲労解消装置では、左右の発光体２０Ｒ−ｉ，２０Ｌ−ｉの数がそれぞれ「４」となっているが、４以外の複数であってもよい。但し、４以上であった方が、上下方向、左右方向、斜め方向の各方向のむき運動を促すことができる点において、好ましい。
また、本実施形態の眼疲労解消装置においては、移動機構１８，屈折力測定部１１、左右一方の光学系（ミラー１３、凸レンズ１５、画像表示ユニット１４）、コンピュータの全部又は一部を省略し、さらなる簡便化を図ってもよい。
【００５４】
因みに、屈折力測定部１１が省略された場合、ピント調節訓練の終了のタイミング、むき運動訓練の終了のタイミングは、呈示された画像又は輝点の移動が所定回数繰り返された時点とすればよい。
また、移動機構１８が省略された場合、画像又は輝点のよせ運動方向の移動は省略される。
【００５５】
また、コンピュータが省略された場合、上述したコンピュータの動作を、制御回路１９に実行させればよい。また、モニタやスピーカの機能を、装置本体１２又は屈折力測定部１１に搭載すればよい。
また、指標としては、発光体に限らず、単に色が変化するような指標などを採用してもよい。
また、指標は、本実施形態のように画像の外側周囲に設けられていなくてもよい。例えば、点滅する指標を画像中の一部に配置することも可能である。例えば、図２の場合、画像表示ユニット１４Ｒ，１４Ｌの筐体中に、指標となる発光体を設置してもよい。
【００５６】
【発明の効果】
以上説明したとおり本発明によれば、眼のむき運動をより簡便に促し得る眼疲労解消装置が実現する。
【図面の簡単な説明】
【図１】実施形態の眼疲労解消装置の構成図である。
【図２】画像表示ユニット１４Ｒ，１４Ｌを説明する斜視図である。
【図３】ピント調節訓練を説明する図である。
【図４】むき運動訓練を説明する図である。
【図５】むき運動訓練の別の例を説明する図である。
【図６】点灯対象を訓練者に通知する方法を説明する図である。
【符号の説明】
１０  被訓練者
１０Ｒ，１０Ｌ  被訓練眼
１１  屈折力測定部
１２  装置本体
１３Ｒ，１３Ｌ  ミラー
１５Ｒ，１５Ｌ  凸レンズ
１４Ｒ，１４Ｌ  画像表示ユニット
１４Ｒ−１，１４Ｌ−１  画像
１４Ｒ−２，１４Ｌ−２  光源
１７，１８  移動機構
１９  制御回路
２０Ｒ−１，２０Ｒ−２，２０Ｒ−３，２０Ｒ−４，２０Ｌ−１，２０Ｌ−２，２０Ｌ−３，２０Ｌ−４  発光体
【図１】
2005027759.tif 000003
【図２】
2005027759.tif 000004
【図３】
2005027759.tif 000005
【図４】
2005027759.tif 000006
【図５】
2005027759.tif 000007
【図６】
2005027759.tif 000008